(57)【要約】  【課題】  取り付けたボタン電池の保持性が高いいとともに、取り外しの容易なボタン電池取り付け構造、そのボタン電池取り付け構造を用いた電子機器及び血糖値計測表示器を提供する。  【解決手段】  血糖値計測表示器１２内のボタン電池取り付け構造１０を、ボタン電池１４の上面１６に接触することによりボタン電池１４を固定する上板１８を有する電池ホルダー２０と、取り付けられたボタン電池１４のマイナス側である下面２２に弾性的に押圧しつつ接触する第一端子２４と、取り付けられたボタン電池１４のプラス側である側面２６に接触する第二端子２８と、ボタン電池１４の上面１６と下面２２とを逆にした取り付けを規制する凸部（取付規制手段）３０とを備え、ボタン電池１４の上面１６を上板１８の下面に対して摺動させながらボタン電池１４を挿入して取り付けるように構成した。  【選択図】  図１
2006310083.tif 000002
【特許請求の範囲】
【請求項１】
電子機器に電源を供給するために該電子機器内に設けられるボタン電池取り付け構造において、
前記ボタン電池の上面に接触することにより該ボタン電池を固定する上板を有する電池ホルダーと、
取り付けられた前記ボタン電池の下面に弾性的に押圧しつつ接触する第一端子と、
取り付けられた前記ボタン電池の側面に接触する第二端子と、
を備え、
前記ボタン電池の上面を前記上板の下面に対して摺動させながら挿入して取り付けるボタン電池取り付け構造。
【請求項２】
前記電池ホルダーが、前記ボタン電池の挿入方向に対して左右方向の位置を規制する側板を備えた請求項１に記載するボタン電池取り付け構造。
【請求項３】
取り付けられたボタン電池に指を接触させるための露出部が、前記電池ホルダーの上板に対してボタン電池挿入方向前方及び／又は後方に形成される請求項１又は請求項２に記載するボタン電池取り付け構造。
【請求項４】
前記ボタン電池の上面と下面とを逆にした取り付けを規制する取付規制手段を備えた請求項１乃至請求項３のいずれかに記載するボタン電池取り付け構造。
【請求項５】
前記請求項１乃至請求項４のいずれかに記載するボタン電池取り付け構造を有する電子機器。
【請求項６】
前記請求項１乃至請求項４のいずれかに記載するボタン電池取り付け構造を有する血糖値計測表示器。
【発明の詳細な説明】
【技術分野】
【０００１】
近年、電子機器の小型軽量化に伴って、電子機器の電源として、小型で高性能のリチュウム電池等の円盤形状のボタン電池が広く用いられている。このボタン電池を電子機器に取り付けるためのボタン電池取り付け構造の一例として、ボタン電池取り付け構造１を、図９に示す。このボタン電池取り付け構造１は、略円形の収納凹部２内に、ボタン電池３のプラス側を接触させるプラス端子４とボタン電池３のマイナス側を接触させるマイナス端子５とを備え、ボタン電池３を収納凹部２内に挿入して蓋６を上から固定することにより、ボタン電池３を取り付けることができる。
【０００２】
また、ボタン電池取り付け構造についての出願も行なわれている（例えば、特許文献１参照。）。このボタン電池取り付け構造の場合、ボタン電池を傾斜させてボタン電池の先端を係止片の下方に挿入し、ボタン電池全体を上から押し込んで取り付ける。これにより、ボタン電池は、その周縁部の一部が係止片に係止されて保持される。しかし、この場合、係止片のみによってボタン電池が保持されるため、ボタン電池の取り付けは容易であるが、ボタン電池が離脱してしまうおそれがある。
【特許文献１】特開平１１−１８５７２１号公報
【発明の開示】
【発明が解決しようとする課題】
【０００３】
そこで、本発明者は、このような課題の原因を究明してこのような課題を解決するべく、鋭意研究を重ねた結果、本発明に至ったのである。
【０００４】
すなわち、本発明は、取り付けたボタン電池の保持性が高いとともに、取り外しの容易なボタン電池取り付け構造、そのボタン電池取り付け構造を用いた電子機器及び血糖値計測表示器を提供することを目的とする。
【課題を解決するための手段】
【０００５】
本発明のボタン電池取り付け構造は、電子機器に電源を供給するために該電子機器内に設けられるボタン電池取り付け構造において、前記ボタン電池の上面に接触することにより該ボタン電池を固定する上板を有する電池ホルダーと、取り付けられた前記ボタン電池の下面に弾性的に押圧しつつ接触する第一端子と、取り付けられた前記ボタン電池の側面に接触する第二端子と、を備え、前記ボタン電池の上面を前記上板の下面に対して摺動させながら挿入して取り付けることを特徴とする。
【０００６】
また、本発明のボタン電池取り付け構造は、前記ボタン電池取り付け構造において、前記電池ホルダーが、前記ボタン電池の挿入方向に対して左右方向の位置を規制する側板を備えたことを特徴とする。
【０００７】
また、本発明のボタン電池取り付け構造は、前記ボタン電池取り付け構造において、取り付けられたボタン電池に指を接触させるための露出部が、前記電池ホルダーの上板に対してボタン電池挿入方向前方及び／又は後方に形成されることを特徴とする。
【０００８】
また、本発明のボタン電池取り付け構造は、前記ボタン電池取り付け構造において、前記ボタン電池の上面と下面とを逆にした取り付けを規制する取付規制手段を備えたことを特徴とする。
【０００９】
また、本発明の電子機器は、前記ボタン電池取り付け構造を有することを特徴とする。
【００１０】
また、本発明の血糖値計測表示器は、前記ボタン電池取り付け構造を有することを特徴とする。
【発明の効果】
【００１１】
本発明のボタン電池取り付け構造、電子機器、血糖値計測表示器によれば、ボタン電池の上面を前記上板の下面に対して摺動させながら挿入して取り付けることができる。ボタン電池を取り付けた状態では、第一端子がボタン電池の下面を弾性的に押圧し、ボタン電池が上板と第一端子の間に挟まれて押圧されるため、ボタン電池と上板及び第一端子との摩擦力により、ボタン電池の保持性を高めることができる。また、挿入方向と逆方向にボタン電池の上面を上板の下面に対して摺動させながらボタン電池を容易に取り外すことができる。
【００１２】
また、側板を備えた本発明のボタン電池取り付け構造によれば、側板により、ボタン電池が挿入方向に対して左右方向に移動するのを防止できる。このため、ボタン電池の保持性を更に高めることができる。
【００１３】
また、露出部が形成される本発明のボタン電池取り付け構造によれば、この露出部からボタン電池に指を接触させながら容易にボタン電池を抜き取ることができる。なお、この露出部がボタン電池挿入方向前方及び後方の両方に形成される場合には、前方位置の露出部から指をボタン電池に引っ掛けて抜き取りを開始した後に、後方の露出部からボタン電池に指を接触させて容易に抜き取ることができる。
【発明を実施するための最良の形態】
【００１４】
次に、本発明に係るボタン電池取り付け構造、電子機器、血糖値計測表示器の実施の形態について、図面に基づいて詳しく説明する。
【００１５】
図１において、符号１０は、本発明のボタン電池取り付け構造であり、符号１２は、このボタン電池取り付け構造１０を２箇所に有する本発明の血糖値計測表示器（電子機器）である。
【００１６】
ボタン電池取り付け構造１０は、図２に示すように、ボタン電池１４を取り付けて血糖値計測表示器１２に電源を供給するために血糖値計測表示器１２内に設けられている。ボタン電池取り付け構造１０は、ボタン電池１４の上面１６に接触することによりボタン電池１４を固定する上板１８を有する電池ホルダー２０と、取り付けられたボタン電池１４のマイナス側である下面２２に弾性的に押圧しつつ接触する第一端子２４と、取り付けられたボタン電池１４のプラス側である側面２６に接触する第二端子２８と、ボタン電池１４の上面１６と下面２２とを逆にした取り付けを規制する凸部（取付規制手段）３０とを備え、ボタン電池１４の上面１６を上板１８の下面に対して摺動させながらボタン電池１４を挿入して取り付けるように構成されている。
【００１７】
電池ホルダー２０は、この上板１８と、ボタン電池１４の挿入方向に対して左右方向の位置を規制する側板３２とを備えている。また、上板１８は、帯状に構成され、取り付けられたボタン電池１４の上面１６の中の中心部を含む帯状の一部の範囲に接触することによりボタン電池１４を固定するように構成されている。また、上板１８は帯状に構成され、取り付けられたボタン電池１４に指３４を接触させるための露出部３６及び３７が、上板１８に対してボタン電池１４の挿入方向前方及び後方に形成されるように構成されている。露出部３６及び３７が形成されることにより、指３４を上から接触させてボタン電池１４を抜き取ることができる。なお、上板１８の露出部３６側の端部は、指の形状に対応して湾曲形状に構成されている。
【００１８】
第一端子２４は、弾性を有する金属から形成され、取り付けられたボタン電池１４を下から押圧することにより、ボタン電池１４のマイナス側に接触するとともに、ボタン電池１４を固定するように構成されている。第二端子２８は、弾性を有する金属から形成され、取り付けられたボタン電池１４の側面１６を押圧したボタン電池１４のプラス側に接触するように構成されている。２箇所のボタン電池取り付け構造１０の各第一端子２４は別個に設けられているが、２箇所のボタン電池取り付け構造１０の２個の第二端子２８は一体的に連続して構成されている。２個の第一端子２４が血糖値計測表示器１２内のマイナス端子に接続され、第二端子２８が血糖値計測表示器１２内のプラス端子に接続されており、２個のボタン電池１４を並列に取り付けることができる。
【００１９】
また、凸部３０は、ボタン電池１４を挿入するために摺動させる摺動面３８よりも僅かに上に突出している。ボタン電池１４は、平坦な上面１６及び側面２６がプラス側で、下面２２がマイナス側であり下へ突出しており、この上面１６を上にして挿入する構造に構成しているが、過誤によりボタン上面１６を下に向けて挿入しようとした場合、凸部３０が障害となって挿入し難くなるように構成されている。
【００２０】
このようなボタン電池取り付け構造１０、及び血糖値計測表示器１２の作用について以下に説明する。
【００２１】
血糖値計測表示器１２に図示しないバイオセンサを取り付けて血糖値を測定するためには、ボタン電池１４を取り付ける必要がある。ボタン電池１４の取り付けは、まず、蓋４０を取り外した状態で、図２に示すように、ボタン電池１４を電池ホルダー２０に挿入する。この時、ボタン電池１４の上面１６は上板１８の下面に沿って摺動し、下面２２は２箇所の凸部３０間に入り込みながら摺動面３８に沿って摺動した後、摺動面３９に沿って摺動する。ここで、仮に上面１６を下にして挿入しようとすると、平坦な上面１６の周縁部が２箇所の凸部３０に当たるため、挿入が困難となり、作業者は上下を逆にした過誤を認識することができる。このため、上面１６を上にして、再度、正しく挿入できる。
【００２２】
このようにして２個のボタン電池１４を挿入すると、図３に示すように、各ボタン電池取り付け構造１０において、第一端子２４がボタン電池１４のマイナス側である下面２２に接触し、第二端子２８がボタン電池１４のプラス側である側面２６に接触するため、血糖値計測表示器１２に電源供給可能となる。また、第一端子２４がボタン電池１４の下面２２を押圧するとともに、ボタン電池１４の挿入方向に対して左右方向の移動が側板３２により規制されるため、ボタン電池１４は安定した状態に固定される。取り付けられたボタン電池１４の上面１６の上方には、露出部３６及び３７が形成されることとなる。
【００２３】
この状態で、図４に示すように蓋４０を取り付け、図示しないバイオセンサを図１に示すセンサ取付開口部４２に取り付けた状態で、図示しないスイッチを操作することにより、血糖値計測表示器１２に電源が供給され、血糖値を計測することができる。
【００２４】
次に、ボタン電池１４の電圧が降下した等の事情により、ボタン電池１４を取り外す必要が生じた場合、図５に示すように、指３４でボタン電池１４の上面１６を押圧しながら、挿入方向と反対方向へ抜き出す。この時、露出部３６からボタン電池１４を押圧することにより、指３４とボタン電池１４の上面１６との摩擦力により、容易かつ確実に抜き取ることができる。なお、抜き取りを開始する時に、上板１８よりも奥側の露出部３７からボタン電池１４の上面１６に指３４を引っ掛けて微小距離だけ抜き出した後、露出部３６からボタン電池１４を押圧して抜き取れば、更に容易かつ確実に抜き取ることができる。また、指３４で上からボタン電池１４を押圧することにより、第一端子２４が弾性的に押し下げられてボタン電池１４の上面１６が上板１８から離隔するため、容易に抜き取ることができる。
【００２５】
以上、本発明の一実施形態について説明したが、本発明はこの実施形態には限定されない。
【００２６】
例えば、図６に示すように、ボタン電池取り付け構造１０において、上板１８の中の露出部３７側の端部も、湾曲形状にしても良い。これにより、指３４と上面１６との接触面積を更に大きくして摩擦力を更に大きくできるため、より容易かつ確実に抜き取ることができる。
【００２７】
また、図７に示すように、ボタン電池取り付け構造１０において、上板１８を分割した形状とすることにより、上板１８の中間部にも露出部４１を設けても良い。指３４を上面１６の略全体に接触することができ、指３４と上面１６との接触面積を更に大きくして、より容易かつ確実に抜き取ることができる。
【００２８】
また、図８に示すボタン電池取り付け構造５０（ａ）及び（ｂ）であっても良い。この場合、一方のボタン電池取り付け構造５０（ａ）の第二端子５４（ａ）と他方のボタン電池取り付け構造５０（ｂ）の第二端子５４（ｂ）とが分離され、一方の第一端子５２（ａ）と他方の第二端子５４（ｂ）とが通電可能に接続され、他方の第一端子５２（ｂ）と一方の第二の端子５４（ａ）とが通電可能に接続されている。このため、２個のボタン電池５６（ａ）及び（ｂ）をプラス側を上にして挿入すれば、２個のボタン電池５６（ａ）及び（ｂ）を直列に取り付けることができる。
【００２９】
以上、本発明の実施形態について図面に基づいて説明したが、本発明は図示したものには限定されない。例えば、本発明のボタン電池取り付け構造を有する本発明の電子機器は、血糖値計測表示器には限定されない。例えば、カメラ、パーソナルコンピューター等のその他の電子機器であっても良い。
【００３０】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３１】
本発明のボタン電池取り付け構造によれば、ボタン電池の保持性を高めることができるとともにボタン電池を容易に取り外すことができる。このため、ボタン電池を使用する電子機器全てに広く利用できる。
【図面の簡単な説明】
【００３２】
【図１】本発明のボタン電池取り付け構造及び血糖値計測表示器を示す図であり、同図（ａ）は平面図であり、同図（ｂ）は側面図であり、同図（ｃ）は正面図である。
【図２】図１のボタン電池取り付け構造において、ボタン電池を取り付ける状態を示す図であり、同図（ａ）は平面図であり、同図（ｂ）はＡ−Ａ線断面図である。
【図３】図１のボタン電池取り付け構造において、ボタン電池を取り付けた状態を示す図であり、同図（ａ）は平面図であり、同図（ｂ）はＢ−Ｂ線断面図である。
【図４】図１のボタン電池取り付け構造において、蓋を取り付ける状態を示す平面図である。
【図５】図１のボタン電池取り付け構造において、ボタン電池を抜き取る状態を示す平面図である。
【図６】本発明のボタン取り付け構造の他の実施形態を示す平面図である。
【図７】本発明のボタン取り付け構造の更に他の実施形態を示す平面図である。
【図８】本発明のボタン取り付け構造の更に他の実施形態を示す平面図である。
【図９】従来のボタン取り付け構造を示す斜視図である。
【符号の説明】
【００３３】
１０、５０（ａ）、５０（ｂ）：ボタン電池取り付け構造
１２：血糖値計測表示器（電子機器）
１４：ボタン電池
１６：上面
１８：上板
２０：電池ホルダー
２２：下面
２４、５２（ａ）、５２（ｂ）：第一端子
２６：側面
２８、５４（ａ）、５４（ｂ）：第二端子
３０：凸部
３２：側板
３４：指
３６、３７：露出部
３８、３９：摺動面
４０：蓋
【図１】
2006310083.tif 000003
【図２】
2006310083.tif 000004
【図３】
2006310083.tif 000005
【図４】
2006310083.tif 000006
【図５】
2006310083.tif 000007
【図６】
2006310083.tif 000008
【図７】
2006310083.tif 000009
【図８】
2006310083.tif 000010
【図９】
2006310083.tif 000011